(57)【要約】    【課題】      良好な受信誤り率の確保および回線推定の演算処理負荷の軽減を図ることができるようにすること。    【解決手段】  回線推定手段１２０の候補区間検知部１２１は、受信系列Ｒ(t)をもとに伝送路のチャネルインパルスレスポンスのピーク検出を行って候補区間を絞り込む。誤差演算部１２２は、絞り込まれた区間のみを対象として候補区間検知部１２１により検知された候補区間の区間長（Tap_Length）の二乗誤差演算を行う。選択部１２３は、誤差演算部１２２により算出された区間長のうち最も小さい二乗誤差(J_min)を与える区間長を選択する。最尤系列推定部１３０は、受信系列Ｒ(t)と選択部１２３が出力するチャネルインパルスレスポンス(Estimated_CIR)および区間長とをもとに推定送信系列Ｔ'(t)を出力する。以上により、候補区間のみに絞り込んだ二乗演算を行うことで回線推定にかかる処理負荷を減らすことが可能となる。   【選択図】      図１
2006115221.tif 000002
【特許請求の範囲】
【請求項１】
受信系列をもとに伝送路のチャネルインパルスレスポンスおよび区間長を出力する回線推定手段と、
前記受信系列と前記回線推定手段が出力するチャネルインパルスレスポンスおよび区間長とをもとに推定送信系列を出力する最尤系列推定手段とを備え、
前記回線推定手段は、
前記受信系列をもとに伝送路のチャネルインパルスレスポンスのピーク検出を行い、そのピーク値に従って有効候補パスのしきい値を設定し、そのしきい値をチャネルインパルスレスポンスに適用し有効候補パスを絞ることで候補区間を検知する候補区間検知手段と、
前記候補区間検知手段により検知された候補区間の区間長のみ二乗誤差演算を行う誤差演算手段と、
前記誤差演算手段により算出された区間長のうち最も小さい二乗誤差を与える区間長を選択する選択手段とからなる受信装置。
【請求項２】
伝送路を通じて受信されてディジタル変調された受信系列に含まれる所定の第１のトレーニング系列と、予め報知された既知の第２のトレーニング系列との期待値の畳み込み演算による相関値に基づいて最尤のチャネルインパルスレスポンスを推定する回線推定手段を備え、
前記回線推定手段は、
前記第１のトレーニング系列と前記第２のトレーニング系列との間で相関演算を行う相関演算手段と、
前記相関演算手段による相関演算結果の系列のピーク値から最大の相関ピーク値をもとめて所定のしきい値との比較で上回っているピーク値の数をカウントして等化区間の候補を決める等化区間候補決定手段と、
前記最大の相関ピーク値のタイミングにおける前記相関演算手段による相関演算の系列と、前記しきい値を越える前記相関ピーク値の数に応じて等化の区間長を決めて、前記区間長におけるチャネルインパルスレスポンスの二乗誤差を探索し、前記区間長を１小さくして前記チャネルインパルスレスポンスの二乗誤差の探索を繰り返して最も小さい二乗誤差を与える区間長を求めて、前記二乗誤差が最小となる区間長とチャネルインパルスレスポンスとを推定する推定処理手段と、からなる受信装置。
【請求項３】
前記推定処理手段で同定された最小の二乗誤差と、前記チャネルインパルスレスポンスの二乗和をもとに算出したフレーム尤度をもとにして、前記フレーム尤度が所定のしきい値より小さい場合には、次のフレームのしきい値を所定の値に制御する請求項２記載の受信装置。
【請求項４】
前記推定処理手段により同定された最小の二乗誤差と、前記チャネルインパルスレスポンスの二乗和をもとに算出したフレーム尤度と、前記フレーム尤度の過去の平均値から求めた受信ステートの尤度とをもとにして、前記フレーム尤度が所定のしきい値より小さく、且つ前記受信ステートの尤度が低い場合に、前記しきい値を制御する請求項２または請求項３記載の受信装置。
【請求項５】
前記フレーム尤度の過去の平均値を移動平均により算出する請求項４記載の受信装置。
【請求項６】
前記しきい値の制御を受信バースト毎に行う請求項４記載の受信装置。
【請求項７】
受信したトレーニング系列をもとに伝送路のチャネルインパルスレスポンスおよび区間長を出力する回線推定ステップと、
前記受信したトレーニング系列と前記回線推定ステップで出力されるチャネルインパルスレスポンスおよび区間長とをもとに推定送信系列を出力する最尤系列推定ステップとを備え、
前記回線推定ステップは、前記受信系列をもとに伝送路のチャネルインパルスレスポンスのピーク検出を行って候補区間を検知する候補区間検知ステップと、前記候補区間検知ステップで検知された候補区間の区間長の二乗誤差演算を行う誤差演算ステップと、前記誤差演算ステップで算出された区間長のうち最も小さい二乗誤差を与える区間長を選択する選択ステップと、を具備する請求項１から請求項６のいずれかに記載の受信装置における回線推定方法。
【請求項８】
前記回線推定ステップは、前記受信したトレーニング系列と前記回線推定ステップで出力されるチャネルインパルスレスポンスおよび区間長を、前記二乗誤差演算を行う誤差演算ステップにおける最長区間として、前記区間長を小さく絞り込む方向に前記二乗誤差演算を行う誤差演算ステップを具備することを特徴とする請求項７記載の回線推定方法。
【発明の詳細な説明】
【技術分野】
【０００１】
本発明は、適応等化器に用いるチャネルインパルスレスポンスおよび等化区間を推定するための回線推定手段を備えたディジタル通信用の移動携帯端末装置などの受信装置に関する。
【背景技術】
【０００２】
近年、移動体通信などにおいて高速ディジタル伝送を行うための技術開発が盛んに行われている。
【０００３】
ディジタル移動通信システムとして、ＧＳＭ（Global System for Mobile Communications）およびＩＳ−５４（TIA TDMA Air Interface Standard）、ＰＣＤやＰＨＳなどの時分割多重方式（ＴＤＭＡ：Time Division Multiple Access）の通信システムが知られている。
【０００４】
このような高速ディジタル伝送を行う通信システムでは、シンボル周期に対して比較的大きな伝送路遅延が生じるため、受信電力を高くしてもビット誤り率が改善しないいわゆる「周波数選択性フェージングに起因するフロア特性」が生じる。
【０００５】
このフロア特性は復調特性の劣化要因となるため、ＴＤＭＡ方式の通信システムにおいては、周波数選択性フェ−ジングによる波形歪みを除去する適応等化が必須となっている。
【０００６】
ＴＤＭＡ方式で用いられる適応等化器としては、判定帰還形等化器（ＤＦＥ：Decision Feedback Estimation）や、最尤系列推定器（ＭＬＳＥ：Maximum Likelihood Sequence Estimation）などが知られている。最尤系列推定器は、一般的にはビタビ等化器（Viterbi equalizer）とも呼ばれている（例えば、非特許文献１参照）。これらの適応等化器はトランスバーサル型フィルタで構成され、そのＴａｐ係数は下に述べる回線推定器からのチャネルインパルスレスポンス（ＣＩＲ：Channel Impulse Response）で決まり、受信S/Nを最大化するように動作する。
【０００７】
ここでは、欧州ＧＳＭ方式を例にとって上記の適応等化器で用いる回線推定手段について説明する。回線推定手段は、受信系列のうちミッドアンブルの自己相関特性を用いて伝搬路のチャネルインパルスレスポンスで表現される伝達関数を推定することで、シンボル同期と等化区間長を推定する。そして、推定された伝達関数の逆数と受信系列を畳み込み演算することでフェージングによるレベル変動の影響を緩和する。
【０００８】
図５は、最尤系列推定器で用いる回線推定手段の原理的な構成を示すブロック図である。図６は、欧州ＧＳＭ方式におけるノーマルバースト（ＮＢ：Normal Burst）の構成を示す図である。
【０００９】
図５に示すように、回線推定手段５０は、畳み込み演算器５１，５２、検出・絞り込み部５３、二乗誤差演算部５４を備えている。
【００１０】
図５において、畳み込み演算器５１は、受信系列と期待するトレーニング系列(ＴＳＣ：training sequence)との畳み込み演算を行い、トレーニングシーケンスの自己相関特性からチャネルインパルスレスポンスhe(t)を算出する。
【００１１】
検出・絞り込み部５３は、このhe(t)のピーク値（ＣＩＲ peak）を検出し、有効なパスを含む区間までの候補{he_1(t),・・he_n(t)}を生成する。次に畳み込み演算器５２は、絞り込みのため候補{he_1(t),・・he_n(t)}のチャネルインパルスレスポンスと期待値のトレーニング系列との畳み込み演算を行う。
【００１２】
二乗誤差演算部５４は、受信系列と畳み込み演算器５２の出力系列とをもとに各チャネルインパルスレスポンスの候補he_1(t)における誤差J=J_1を算出し、検出・絞り込み部５３に送る。この処理はhe(t)={he_1(t)・・he_n(n)}に対して繰り返され、J={J1・・Jn}が求められる検出・絞り込み部５３では{J1・・Jn}のうち最小値であるJ_minと、それを与えるhe(t)を決定する。この二乗誤差演算部５４において算出された各チャネルインパルスレスポンスの候補における誤差Ｊのなかの最小値（J_min）をとるインパルスレスポンスhe(t)が伝送路の真のインパルスレスポンスに尤も近い結果となる。
【００１３】
ＧＳＭ方式では、図６に示すように、ミッドアンブル（midamble）形式のためトレーニング系列（ＴＳＣ）はノーマルバーストの中央に位置する。受信装置は、このノーマルバーストを受信して復調する時点で、８種類あるトレーニング系列のうち報知チャネルで知らされた既知の系列を用いる。
【００１４】
図５に示す回線推定手段５０では、回線推定を行うにあたって、既知のトレーニング系列と受信トレーニング系列の候補となるトレーニング系列との全てのタイミング候補について畳み込み演算器５１，５２により畳み込み演算を行い、その中から主波および有効な遅延波からなる遅延プロファイルを推定し、推定したチャネルインパルスレスポンス(Estimated_CIR)と、等化に必要な区間長(Tap_Length)とを最尤系列推定器（ＭＬＳＥ）に出力する。
【非特許文献１】Gottfried Ungerboeck, 「Adaptive Max-imum-Likelihood Receiver for Carrier-Modulated Data-Transmission Systems」, IEEE Transactions on Communications, Vol.COM-22,No.5,pp624-636,May 1974
【発明の開示】
【発明が解決しようとする課題】
【００１５】
しかしながら、前記従来の受信装置における回線推定手段においては、等化区間長の候補全てと、受信窓幅とトレーニングシーケンスコードの和から成るタイミング候補との組み合わせにおいて、最小二乗誤差演算を行うことでインパルスレスポンスを求めている。
【００１６】
このため、従来の受信装置では、誤差演算と最小値探索との処理による処理負荷が増大するという問題点があった。
【００１７】
また、従来の受信装置においては、ＧＰＲＳ（General Packet Radio Service）のマルチスロット対応のように、高速レートに対応するためには、１フレーム中で復調処理すべき受信バースト数が２倍、４倍・・・と増えることになる。
【００１８】
このようなことから、従来の移動携帯端末装置などの受信装置においては、回線推定手段を搭載するにあたって、性能劣化を生じることなくその処理量を削減することが課題となっている。
【００１９】
本発明は、かかる点に鑑みてなされたもので、良好な受信誤り率の確保および回線推定の演算処理負荷の軽減を図ることができる回線推定方法およびそれを用いた移動携帯端末装置などの受信装置を提供することを目的とする。
【課題を解決するための手段】
【００２０】
かかる課題を解決するため、本発明の受信装置は、受信系列をもとに伝送路のチャネルインパルスレスポンスおよび区間長を出力する回線推定手段と、前記受信系列と前記回線推定手段が出力するチャネルインパルスレスポンスおよび区間長とをもとに推定送信系列を出力する最尤系列推定手段とを備え、前記回線推定手段は、前記受信系列をもとに伝送路のチャネルインパルスレスポンスのピーク検出を行い、そのピーク値に従って有効候補パスのしきい値を設定し、そのしきい値をチャネルインパルスレスポンスに適用し有効候補パスを絞ることで候補区間を検知する候補区間検知手段と、前記候補区間検知手段により検知された候補区間の区間長のみ二乗誤差演算を行う誤差演算手段と、前記誤差演算手段により算出された区間長のうち最も小さい二乗誤差を与える区間長を選択する選択手段とからなる構成を採る。
【００２１】
ここで、前記回線推定手段の処理負荷の軽減を図る方法としては、次の（１）〜（３）の３つの方法が挙げられる。
【００２２】
（１）有効パス候補判定しきい値(Tap_th)を導入して、受信系列におけるトレーニングシーケンスと期待値のトレーニングシーケンスとの畳込み演算の結果に対してTap_thを適用することで有効パスの候補を絞り込み、その結果、図２あるいは図３に示すように有効候補パスを絞り込んでその区間に対して、最小二乗誤差演算と最小値探索を実施する。
【００２３】
（２）前記（１）の方法において有効パスが、図２に示すようにロングパスチャネルと判断された場合には、畳み込み演算と最小二乗誤差演算を最大の等化区間から所定の最小値まで実施する。
【００２４】
（３）（１）、（２）に加えてインパルスレスポンスの推定後に出力されるフレーム尤度値(Frame Likelihood F)を用いて、その尤度が所定のしきい値(Frame Likelihood F_Th)に満たない場合、すなわち低ＳＮＲと測定された状態には雑音を有効パスと見なした推定結果を出力している確率の増大を考慮し、有効パス候補判定しきい値(Tap_th)を高くして雑音電力によるパスを有効パスと見なしてしまう誤判定の確率を低減する。
【発明の効果】
【００２５】
本発明によれば、良好な受信誤り率の確保および回線推定の演算処理負荷の軽減を図ることができる。
【発明を実施するための最良の形態】
【００２６】
以下、本発明の実施の形態について、図面を参照して詳細に説明する。なお、各図において同一の構成または機能を有する構成要素および相当部分には、同一の符号を付してその説明は繰り返さない。
【００２７】
（実施の形態１）
図１は、本発明の実施の形態１に係る受信装置を用いた通信システムの構成を示すブロック図である。
【００２８】
本実施の形態１に係る受信装置１１０は、受信アンテナ１１１、ＲＦ受信部１１２、ＬＰＦ（ローパスフィルタ）１１３、Ａ／Ｄ（Ａ／Ｄ変換器）１１４、蓄積メモリ１１５、回線推定手段１２０、最尤系列推定部１３０を備えている。
【００２９】
また、回線推定手段１２０は、候補区間検知部１２１、誤差演算部１２２、選択部１２３を備えている。
【００３０】
受信アンテナ１１１は、後述する送信アンテナ１０３から放射された電波を受信する。受信ＲＦ部１１２は、受信アンテナ１１１が受信した搬送波帯の受信信号をベースバンドに周波数変換する。ＬＰＦ（ローパスフィルタ）１１３は、受信ＲＦ部１１２によりベースバンドに周波数変換された受信信号の帯域を制限する。Ａ／Ｄ（Ａ／Ｄ変換器）１１４は、ＬＰＦ（ローパスフィルタ）１１３により制限された帯域の受信信号をディジタル値に変換する。蓄積メモリ１１５は、Ａ／Ｄ（Ａ／Ｄ変換器）１１４から出力された受信信号を受信窓幅分だけ蓄積し、等化処理単位の受信系列Ｒ(t)を出力する。
【００３１】
回線推定手段１２０は、受信系列Ｒ(t)と既知のトレーニング系列（TSC_expect）とをもとにチャネルインパルスレスポンスと有効パスの長さからTap長を推定する。最尤系列推定部１３０は、ビタビアルゴリズム（Viterbi algorithm）を用いて、蓄積メモリ１１５から出力される受信系列Ｒ(t)と、回線推定手段１２０で得られたチャネルインパルスレスポンス(Estimated_CIR)とTap長(Tap_Length)から送信予測系列Ｔ’(t)を推定する。
【００３２】
図１において、ベースバンドの送信系列Ｔ(t)は、変調部１０１により変調される。変調部１０１の出力は、キャリア伝送するためにＲＦ送信部１０２において搬送波帯にアップコンバートされる。ＲＦ送信部１０２の出力は、送信アンテナ１０３により空中に放射される。
【００３３】
受信アンテナ１１１およびＲＦ受信部１１２を介して得られたベースバンド信号は、ＬＰＦ（ローパスフィルタ）１１３、Ａ／Ｄ（Ａ／Ｄ変換器）１１４を介して複素ＩＱの受信系列にディジタル化され、蓄積メモリ１１５に一旦蓄積される。
【００３４】
その後、回線推定手段１２０および最尤系列推定部１３０の処理に必要な長さの受信系列Ｒ(t)が、蓄積メモリ１１５から回線推定手段１２０および最尤系列推定部１３０へ入力される。
【００３５】
回線推定手段１２０では、図６に示したノーマルバーストのミッドアンブル（トレーニング系列）のもつ自己相関特性を利用して、受信系列Ｒ(t)におけるトレーニングシーケンスと報知された既知のトレーニング系列（TSC_expect）との間で畳み込み演算によりピーク値を求め、チャネルインパルスレスポンスを求める。そして、推定したチャネルインパルスレスポンス（Estimated_CIR）および区間長（Tap_Length）を出力する。
【００３６】
最尤系列推定部１３０は、受信系列Ｒ(t)とチャネルインパルスレスポンス（Estimated_CIR）および区間長（Tap_Length）とから尤もらしいデータ系列を推定して推定送信系列Ｔ'(t)を出力する。
【００３７】
本実施の形態１に係る受信装置１１０においては、上記の方法により、処理負荷を軽減することができる回線推定を実現する。ここでは、ディジタルセルラ電話器の中で最も広く普及しているＧＳＭシステムを対象として説明するが、本発明はこれに限定されるものではない。なお、ＧＳＭシステムの標準仕様については、ETSI/GSM Series 03 Air Interface Specification, GSM PN Parisに記載されているので、その詳述は省略する。
【００３８】
以下、本例の回線推定手段１２０における処理方法について詳しく説明する。なお、ここでは図６に示したノーマルバースト（Normal Burst）をもとにＧＳＭシステムについて説明するが、本例の処理方法は、シンクロナイゼーション（ＳＢ：Synchronization Burst）についても適用可能である。
【００３９】
また、図７に示すようなプリアンブル形式のＴＤＭＡバーストについても適用可能である。
【００４０】
また、本例の処理方法は、トレーニング系列の相関特性を利用して回線推定を行う適応等化器を利用する全ての受信装置に対しても適用可能である。
【００４１】
本例の回線推定手段１２０においては、まず、第１ステップとして、候補区間検知部１２１においてチャネルインパルスレスポンスのピーク検出が行われる。
【００４２】
図５に示した回線推定手段５０の受信系列{Ri}は、送信系列{Si}と伝送路｛hc(t)｝により次の式（１）のように表すことができる。式（１）において、「＊」を「○」で囲んだ記号は、畳み込み演算を示している。
【数１】
2006115221.tif 000003
【００４３】
式（１）に示す受信系列｛Ri｝は、回線推定手段１２０において、まず報知されたパターンのミッドアンブルと畳み込み演算とが行われる。その結果、図２あるいは図３に示すような有限長のチャネルインパルスレスポンスが得られる。
【００４４】
次いで、図２および図３に示すように、チャネルインパルスレスポンスに対して有効パス候補判定しきい値(Tap_th)が適用され、この有効パス候補判定しきい値(Tap_th)を上回る最初のパスを開始のタイミングとし、かつパスの絶対値の最大電力｜Ｐ｜が探索される。次にその値｜Ｐ｜に所定の有効パス候補判定しきい値(Tap_th)を乗じて得られるしきい値を上回るピークの数がカウントされる。ここで、有効パス候補判定しきい値(Tap_th)は、式（２）に示すように、最も電力Ｐが大きいパスの電力Ｐの絶対値|Pmax|に対して係数Tap_thを乗じた値として与えられる。
【数２】
2006115221.tif 000004
【００４５】
次に、第２ステップとして、区間長（Tap_Length）の候補の算出が行われる。有効パス候補判定しきい値(Tap_th)以上の値を取るパスを包含する区間をシンボル長Ｔの整数倍で区間長（Tap_Length）として示すとすると、例えばＧＳＭシステムの場合、最長の区間長は、「６Ｔ」または「５Ｔ」（Ｔ：シンボル周期）などが現実的な数となる。しかし、本発明は、これらの区間長に限定されるものではない。以下の説明では、区間長を最大「５Ｔ」、最小「３Ｔ」として説明するが、本例の回線推定手段１２０における動作は「６Ｔ」でも同様である。候補区間検知部１２１において推定された区間長の候補が次の誤差演算部１２２に送られる。
【００４６】
次に、誤差演算部１２２においては、区間長の候補が「５Ｔ」の場合には、｛５，４，３｝が区間長(Tap_Length)の候補となる。また、区間長の候補が「４Ｔ」の場合には、｛４，３｝が区間長(Tap_Length)の候補となる。さらに、区間長の候補が「３Ｔ」の場合には、｛３｝が区間長(Tap_Length)の候補となる。そしてそれぞれの区間長の候補の個数ごとの二乗誤差が求められ、選択部１２３に送られる。
【００４７】
次に、第３ステップとして、選択部１２３において区間長(Tap_Length)の絞り込みが行われる。選択部１２３では、誤差演算部１２２から送られた二乗誤差に基づいてそれぞれの二乗誤差における最小値探索による絞り込みが行われる。候補区間検知部１２１でのパスの電力Ｐの絶対値|P|が有効パス候補判定しきい値(Tap_th)を上回るピークの数が「５」以上の場合には、区間長(Tap_Length)は｛５，４，３｝を候補として絞り込みが行われる。また、前記ピークの数が「４」の場合には、区間長(Tap_Length)は｛４，３｝を候補とし、前記ピークの数が「３」以下の場合には、区間長(Tap_Length)を｛３｝として絞り込みが行われる。
【００４８】
ここで、候補となる前記ピークの数が「５」以上の場合、まず、区間長(Tap_Length)＝５と仮決めされ、それに対応するチャネルインパルスレスポンスと報知されたトレーニング系列とで畳み込み演算が行われる。この演算結果と受信系列との二乗誤差が「Ｊ５」となる。
【００４９】
次いで、区間長(Tap_Length)＝４と仮決めされ、それに対応するチャネルインパルスレスポンスと報知されたトレーニング系列とで畳み込み演算が行われる。この結果と受信系列との二乗誤差が「Ｊ５」となる。
【００５０】
次いで、区間長(Tap_Length)＝４と仮決めされ、それに対応するチャネルインパルスレスポンスと報知されたトレーニング系列とで畳み込み演算が行われる。この結果と受信系列との二乗誤差が「Ｊ４」となる。
【００５１】
次いで、区間長(Tap_Length)＝３と仮決めされ、それに対応するチャネルインパルスレスポンスと報知されたトレーニング系列とで畳み込み演算が行われる。この結果と受信系列との二乗誤差が「Ｊ３」となる。
【００５２】
次いで、各二乗誤差「Ｊ５」，「Ｊ４」，「Ｊ３」の最小値探索が行われ最小値の結果が「Ｊmin」、その時の区間長が (Tap_Length)として同定され、区間長(Tap_Length)とそのチャネルインパルスレスポンスhe(t)が求められ、その逆特性が(Estimated_CIR)として最尤系列推定部１３０に入力される。
【００５３】
次に、候補となる前記ピークの数が「４」の場合、まず、区間長(Tap_Length)＝４と仮決めされ、それに対応するチャネルインパルスレスポンスと報知されたトレーニング系列とで畳み込み演算が行われる。この演算結果と受信系列との二乗誤差が「Ｊ４」となる。
【００５４】
次いで、区間長(Tap_Length)＝３と仮決めされ、それに対応するチャネルインパルスレスポンスと報知されたトレーニング系列とで畳み込み演算が行われる。この結果と受信系列との二乗誤差が「Ｊ３」となる。
【００５５】
次いで、各二乗誤差「Ｊ４」，「Ｊ３」の最小値探索が行われ最小値の結果が「Ｊmin」、その時の区間長が (Tap_Length)として同定され、区間長(Tap_Length)とそのチャネルインパルスレスポンスhe(t)が求められ、その逆特性が(Estimated_CIR)が最尤系列推定部１３０に入力される。
【００５６】
また、前記ピークの数が「３」の場合には、予め設定された設定区間長の最小値と等しい(Tap_Length)＝３が「Ｊ_min」となる。ここで得られた区間長(Tap_Length)とそのチャネルインパルスレスポンスhe(t)の逆特性が(Estimated_CIR)として最尤系列推定部１３０に入力される。
【００５７】
なお、ここでは、区間長(Tap_Length)の推定範囲を「３」から「５」として説明したが、この範囲に限定されるものではない。
【００５８】
（実施の形態２）
次に、本発明の実施の形態２に係る受信装置について説明する。図４は、本発明の実施の形態２に係る受信装置を用いた通信システムの構成を示すブロック図である。
【００５９】
図４に示すように、本実施の形態２に係る受信装置４１０は、その回線推定手段４２０の構成が異なる以外は、実施の形態１に係る受信装置１１０と同じ構成を有している。
【００６０】
すなわち、本実施の形態２に係る受信装置４１０の回線推定手段４２０は、実施の形態１に係る受信装置１１０の候補区間検知部１２１および選択部１２３と異なった構成の候補区間検知部４２１および選択部４２２を備えている。
【００６１】
本実施の形態２に係る受信装置４１０における回線推定手段４２０の選択部４２２では、フレーム尤度の過去のサンプルによる移動平均値Ｍを新たに導入する。そしてこの受信状態の推定結果である移動平均値Ｍと状態推定しきい値（frame_likelihood_S_th）との比較により受信状態を考慮の上で、および瞬時変動としてのフレーム尤度とフレーム尤度しきい値（frame_likelihood_th）との条件比較を行う。フレーム尤度Ｆは、推定されたチャネルインパルスレスポンス(Estimated_CIR)の二乗和を、二乗誤差J_min（選択部４２２に入力された二乗誤差が最小の「J_min」）で求められる。ここで、フレーム尤度Ｆとその移動平均値Ｍは、大きいほど尤度が高いことを示す。
【００６２】
そして、これらの条件比較結果をもとに次フレームにおける有効パス候補判定しきい値(Tap_th)を次の表１（表１では「th」で表す）のように決定する。
【表１】
2006115221.tif 000005
【００６３】
表１において、有効パス候補判定しきい値(Tap_th)の「th_L」,「th_M」,「th_H」は、式（２）で示した最大パスの絶対値に対する係数である。また、ここで、決定された各有効パス候補判定しきい値(Tap_th)は、0 ＜ Pth_L ≦ Pth_M ≦ Pth_H <1 を満たすものとする。
【００６４】
一方、候補区間検知部４２１では、表１のように決定された有効パス候補判定しきい値(Tap_th)の「th」を用いて、実施の形態１に係る受信装置１１０と同様に、次のバーストにおける処理を行う。
【００６５】
これによって、本実施の形態２に係る受信装置４１０においては、マルチパスフェージングによる受信レベルの低下した状況下で、有効パス候補判定しきい値(Tap_th)を高めに取ることができるので、無効電力によるパスによってショートパスチャネルをロングパスチャネルと誤って選択する確率を小さくすることができる。
【００６６】
なお、表１における”＝”は、不等号のどちらに含んでいても構わない。
【００６７】
なお、本発明の回線推定器は図７に示すようにプリアンブル形式のトレーニング系列をもつ伝送システムにおいても適用可能である。
【産業上の利用可能性】
【００６８】
本発明に係る受信装置は、良好な受信誤り率の確保および処理負荷の軽減を図ることができるので、ディジタル通信用の移動携帯端末装置などの受信装置として有用である。
【図面の簡単な説明】
【００６９】
【図１】本発明の実施の形態１に係る受信装置を用いた通信システムの構成を示すブロック図
【図２】受信装置におけるチャネルインパルスレスポンスを説明するための図
【図３】受信装置における他のチャネルインパルスレスポンスを説明するための図
【図４】本発明の実施の形態２に係る受信装置を用いた通信システムの構成を示すブロック図
【図５】最尤系列推定器で用いる回線推定手段の原理的な構成を示すブロック図
【図６】ミッドアンブル形式におけるＴＤＭＡバーストの構成を示す図
【図７】プリアンブル形式におけるＴＤＭＡバーストの構成を示す図
【符号の説明】
【００７０】
１１０，４１０  受信装置
１１１  受信アンテナ
１１２  ＲＦ受信部
１１３  ＬＰＦ（ローパスフィルタ）
１１４  Ａ／Ｄ（Ａ／Ｄ変換器）
１１５  蓄積メモリ
１２０，４２０  回線推定手段
１２１，４２１  候補区間検知部
１２２  誤差演算部
１２３，４２２  選択部
１３０  最尤系列推定器
【図１】
2006115221.tif 000006
【図２】
2006115221.tif 000007
【図３】
2006115221.tif 000008
【図４】
2006115221.tif 000009
【図５】
2006115221.tif 000010
【図６】
2006115221.tif 000011
【図７】
2006115221.tif 000012